(57)【要約】【課題】従来の技術として、異なる発光色のＬＥＤを備え、第１色のＬＥＤが第２色のＬＥＤの上に重ね設置することにより、均一な混光可能な混色ＬＥＤ装置等がある。これでは、ＬＥＤの発光方向が重ね置かれた方向に向き、ＬＥＤ装置自体が上下方向に厚くなるという問題があった。【解決手段】吸口体１０に、掃除機本体２及び吸口体１０の運転状況を表示する表示部２３を設け、表示部２３には異なる発光色の複数個のＬＥＤ２６ａ，２６ｂを用い、発光方向に対して、少なくともＬＥＤ２６ａ，２６ｂの一部分が重なるように前後方向に配置した。【選択図】  図５
2011036296.tif 000002
【特許請求の範囲】
【請求項１】
電動送風機と集塵部とを内蔵する掃除機本体と、被掃除面に対面する開口部を有して前記集塵部に連通する吸口体とを有し、前記掃除機本体と前記吸口体の間に、ホース体，手元操作部，延長管を備え、前記吸口体には、前記掃除機本体及び前記吸口体の運転状況を表示する表示部を設けた電気掃除機の前記吸口体において、
前記表示部は、異なる発光色の複数個のＬＥＤを用い、
前記複数個のＬＥＤは、発光方向に対して、少なくともＬＥＤの一部分が重なるように前後方向に配置したことを特徴とする吸口体。
【請求項２】
請求項１において、
前記複数個のＬＥＤは、大きさが異なり、発光方向に対して、大きいＬＥＤの前方に小さいＬＥＤを配置したことを特徴とする吸口体。
【請求項３】
請求項１において、
前記複数個のＬＥＤは、輝度が異なり、発光方向に対して、輝度の高いＬＥＤの前方に輝度の低いＬＥＤを配置したことを特徴とする。
【請求項４】
請求項１から３のいずれかにおいて、
前記複数個のＬＥＤは、発光方向が基板に対して平行になるように取付けたことを特徴とする吸口体。
【請求項５】
請求項１から４のいずれかの吸口体と、前記掃除機本体と、前記ホース体と、前記手元操作部と、前記延長管とを備えた電気掃除機。
【請求項６】
電気掃除機の管に接続可能な略Ｔ字形状の吸口体において、
被清掃面に対向する開口を有する吸口本体と、前記吸口本体と前記管との間に介在し空気通路を有する継手とを備え、
前記継手は、当該継手の上面に表示部を備え、
前記表示部は、前記吸口本体側に発光素子を備え、前記管側に導光部を備え、
前記発光素子は、前記導光部の前記吸口本体側の端面に対向する位置に配置され、
前記発光素子は、異なる色の複数個の発光素子からなり、
第１色の発光素子と前記導光部の前記吸口本体側の端面との間に第２色の発光素子が配置されることを特徴とする吸口体。
【請求項７】
請求項６において、
前記第２色の発光素子は、前記第１色の発光素子の位置に対して左右方向外側に配置されることを特徴とする吸口体。
【請求項８】
請求項６において、
前記第２色の発光素子の左右方向の中心は、前記第１色の発光素子の左右方向の中心よりも外側に位置することを特徴とする吸口体。
【請求項９】
請求項６において、
前記第２色の発光素子の左右方向の両端は、前記第１色の発光素子の左右方向の中心よりも外側に位置することを特徴とする吸口体。
【請求項１０】
請求項９において、
前記第１色の発光素子の左右方向の一端は、前記第２色の発光素子の左右方向の中心よりも外側に位置することを特徴とする吸口体。
【請求項１１】
請求項６において、
前記第１色の発光素子と前記第２色の発光素子は、前記導光部側から見て、前記第１色の発光素子の少なくとも一部と前記第２色の発光素子の少なくとも一部とがオーバーラップして配置されることを特徴とする吸口体。
【請求項１２】
請求項１１において、
前記第１色の発光素子の少なくとも一部とオーバーラップしている前記第２色の発光素子の少なくとも一部は、前記第２色の発光素子の左右方向の半分よりも小さいことを特徴とする吸口体。
【請求項１３】
請求項６から１２のいずれかにおいて、
前記第１色の発光素子の発光輝度は、前記第２色の発光素子の発光輝度よりも高いことを特徴とする吸口体。
【請求項１４】
請求項６から１３のいずれかにおいて、
前記第１色の発光素子の外形は、前記第２色の発光素子の外形よりも大きいことを特徴とする吸口体。
【請求項１５】
請求項６から１４のいずれかにおいて、
前記第１色の発光素子と前記第２色の発光素子とは、同一基板上に略平行に配置されることを特徴とする吸口体。
【請求項１６】
請求項６から１５のいずれかの吸口体と、前記管と、前記管に接続される操作管と、前記操作管に接続されるホースと、前記ホースに接続され集塵部と電動送風機を備えた掃除機本体とを備え、前記吸口体から吸い込まれた空気が、前記管，前記操作管，前記ホースを介して掃除機本体に吸い込まれる電気掃除機。
【発明の詳細な説明】
【技術分野】
【０００１】
本発明は、電気掃除機およびその吸口体に関し、特に、吸口体に表示部を備えた電気掃除機およびその吸口体に関する。
【背景技術】
【０００２】
従来の電気掃除機として、例えば特許文献１（特開平５−１６１５７９号公報）に、段階的に点灯して本体モータの出力レベルを示す複数個の表示ランプを吸口本体に設けたものがある。このような電気掃除機によれば、前記のように操作者は掃除をしている姿勢のままでこの表示ランプを見ながら、順次変化するモータの出力レベルを確かめことができる。
【０００３】
また、吸口本体に限らず、表示手段には、一般にＬＥＤが広く応用されており、異なる発光色を同時に点灯するなどして、混合色として発光しているユニット装置が知られている。（例えば、特許文献２，特許文献３参照）特許文献２には、第１色のＬＥＤが第２色のＬＥＤの上に重ね置かれて、均一な混光効果を達成し、さらに上側の第１色のＬＥＤがフリップチップ方式で下側の第２色のＬＥＤの上に取付け可能とされて発光輝度を向上でき、この混色ＬＥＤ装置にさらに蛍光層を設置可能で、色温と色の変化を多様とする効果を達成可能としたことが記載されている。特許文献３には、透明なプラスチック部材等よりなる板状の導光体の一方の広い面を出光面とし、出光面と対向する面にシボ又は複数個の点状ドット等を配置した光拡散面を形成し、導光体の側面に接近して異なる発光色の光源（ＬＥＤ）を縦に複数個配置したエッジライト方式のパネル用の多色発光型面状光源ユニットで、面内で異なる発光色同志が混ざり合い出光面１ｂからの光照射を均一な輝度に調整した。多色発光時、特に複数色を同時に発光させたときの色の混ざりが面内で均一にでき優れた照明品質のバックライトを提供できることが記載されている。
【先行技術文献】
【特許文献】
【０００４】
【特許文献１】特開平５−１６１５７９号公報
【特許文献２】実用新案第３０６６９７９号公報
【特許文献３】特開平１１−３５３９２０号公報
【発明の概要】
【発明が解決しようとする課題】
【０００５】
特許文献１では、吸口本体に複数個の表示ランプが設けられ、ランプの点灯消灯の組み合わせにより、本体モータの出力レベルを示している。そのため、出力レベル段階に応じて表示ランプの個数が増えることになる。
【０００６】
特許文献２では、ＬＥＤの発光方向が第１色および第２色のＬＥＤの重ね置かれた方向に向き、さらに第１色および第２色のＬＥＤの下に基板が設けられているため、ＬＥＤ装置自体が上下方向に厚くなってしまう。よって、このようなＬＥＤ装置を吸口本体に設けると、吸口本体も厚くなってしまう。
【０００７】
特許文献３でも、ＬＥＤの発光方向に対して、ＬＥＤが縦方向に配置されているので、上下方向に厚くなってしまう。よって、このような多色発光型面状光源ユニットを吸口本体に設けると、吸口本体も厚くなってしまう。
【０００８】
本発明の目的は、吸口体を大型化することなく、視認性に優れた電気掃除機を提供することにある。
【課題を解決するための手段】
【０００９】
上記の目的を達成するために本発明は、電動送風機と集塵部とを内蔵する掃除機本体と、被掃除面に対面する開口部を有して集塵部に連通する吸口体を有し、掃除機本体と吸口体の間に、ホース体，手元操作部，延長管を備え、吸口体には、掃除機本体及び吸口体の運転状況を表示する表示部を設けた電気掃除機において、表示部には異なる発光色の複数個のＬＥＤを用い、複数個のＬＥＤは、発光方向に対して、少なくともＬＥＤの一部分が重なるように前後方向に配置したことを特徴とするものである。好ましくは、大きさの異なるＬＥＤを用い、発光方向に対して、大きいＬＥＤの前方に小さいＬＥＤを配置する。好ましくは、輝度の異なるＬＥＤを用い、発光方向に対して、輝度の高いＬＥＤの前方に輝度の低いＬＥＤを配置する。好ましくは、上記ＬＥＤの発光方向を基板に対して、平行に取付けた。
【００１０】
また、本発明は、吸口本体側に発光素子を備え、管側に導光部を備え、発光素子を、導光部の吸口本体側の端面に対向する位置に配置し、発光素子が、異なる色の複数個の発光素子からなり、第１色の発光素子と導光部の吸口本体側の端面との間に第２色の発光素子を配置したことを特徴とする。
【発明の効果】
【００１１】
本発明によれば、複数個のＬＥＤは、発光方向に対して、少なくともＬＥＤの一部分が重なるように前後方向に配置したことにより、または、第１色の発光素子と導光部の吸口本体側の端面との間に第２色の発光素子を配置したことにより、異なる発光色のＬＥＤまたは表示素子の位置と表示部の導光管または導光部との位置を近傍に配置しても、異なる発光色のＬＥＤまたは表示素子を同時に点灯させた時に光が混ざり、混合色の色表示を均一にすることが可能となる。
【００１２】
または、本発明によれば、ＬＥＤまたは表示素子の発光方向を基板に対して平行に配置しているため、表示部の厚み方向を薄くすることが可能となり、吸口体の小形化が図れる。
【図面の簡単な説明】
【００１３】
【図１】本発明による電気掃除機の外観図である。
【図２】本発明による吸口本体の吸口継手の斜視図である。
【図３】本発明による吸口本体の分解斜視図である。
【図４】本発明による吸口本体の吸口継手の断面図である。
【図５】図４による第１の継手の部分平面図である。
【図６】本発明による吸口本体の側面図である。
【発明を実施するための形態】
【００１４】
以下、本発明に係る実施例を添付の図面を用いて説明する。
【００１５】
以下、本発明の実施形態について添付図面を参照して説明する。
【００１６】
図２に本実施例による吸口体１０の分解斜視図を示す。図２において、１１は吸口本体の下ケース、１２は下ケースの上方に配置された吸口本体の上ケース、１２は上ケース１２及び下ケース１１で構成された回転清掃体収納室、２０４は回転清掃体収納室２１２に配置された回転清掃体、２０５は回転清掃体２０４を駆動するための電動機、２０７は吸口体１０を持ち上げたときに自動的に回転停止するための安全スイッチ、２０８は電動機側プーリ、２０９は減速プーリを構成する大プーリ、２１０は減速プーリを構成する小プーリ、２１１は大プーリ２０９と小プーリ２１０を連結するシャフトである。
【００１７】
これらの部品により、電動機２０５によって発生された駆動力を大プーリ２０９と小プーリ２１０を連結するシャフト２１１を介して回転清掃体２０４の回転軸端部に伝達する伝達機構を構成している。
【００１８】
２０は吸口体１０本体内部と外部（掃除機本体２）とを連通する空気通路（通風路）が形成された自在継手のうち吸口体１０本体に対して上下方向に回動可能な第１の継手，３０は自在継手のうち第１の継手２０に対して左右方向に回動可能な第２の継手である。つまり、第１の継手２０の他端は、上下方向に回動可能に吸口本体１０Ａに連結され、第１の継手２０の一端は、左右方向に回動可能に第２の継手３０の他端に連結される。
【００１９】
ここで、吸口体１０本体を水平な被清掃面（例えば、床面）上に置いた状態で、開口２１８が形成された側を下面側とした場合に、回転清掃体２０４の回転軸に沿う方向を吸口体１０の左右方向と呼び、この左右方向は通常吸口体１０の左右方向と一致する。また、吸口体１０の上下方向に関しては、被清掃面へ向かう側を下面側、反対側を上面側と呼ぶ。また、吸口体１０の進行方向側を前方側、後退方向側を後方側として説明する。
【００２０】
吸口体２０６には、被掃除面に応じて、吸口本体の電動機１０５と本体の電動送風機の入力を連動して制御し、段階的に点灯して示す表示部２３を設置しており、その設定状態を色で発光してお知らせするようになっている。
【００２１】
図１に示すように、電気掃除機１は、掃除機本体２と、ホース３と、手元操作ＳＷ等が設けられた操作管４と、継手管（管）としての延長管５と、吸込具として第２の吸込具６と、第１の吸込具としての吸口体１０とを備えて構成されている。
【００２２】
掃除機本体２の内部には、図示しない吸引力を発生させる電動送風機や、この電動送風機の吸引力で集塵した塵埃を収容する集塵部等が内蔵されており、手元操作部としての操作管４に設けられた手元操作ＳＷの操作等によって電動送風機の運転の強弱運転や停止等が切り替えられるようになっている。
【００２３】
なお、以下の説明で各部の方向を言うときには、図１に示す方向を規準とする。なお、各部の方向を言うときに、掃除機本体２に近い側（後側）を一端側ということがあり、これとは反対側（前側）を他端側ということもある。
【００２４】
ホース３の一端は、掃除機本体２の集塵部と連通するように掃除機本体２の接続口２ａに接続され、ホース３の他端は、操作管４に接続されている。延長管５は、二つの管体５Ａ，５Ｂから構成されて伸縮可能であり、管体５Ａの一端が操作管４の他端に接続されている。
【００２５】
第２の吸込具６（補助吸込具）は、延長管５の管体５Ｂの他端に接続された吸込具であり、他端に吸口体１０が接続可能である。第２の吸込具６は、その他端から吸口体１０を取外すことにより、単独で塵埃を吸い込む吸込具として機能するようになっている。本発明において、第２の吸込具６は必須の構成ではない。なお、吸口体１０は、略Ｔ字形状を有するが、第２の吸込具６は、略Ｉ字形状を有する。また、第２の吸込具６は、その前端（他端）に、吸口体１０や延長管５が接続可能であるが、吸口体１０は、その前端（他端）に、他の吸込具や延長管５が接続できない。
【００２６】
吸口体１０は、第２の吸込具６の他端に接続された吸込具であり、下面（被清掃面に対峙する面）に吸込口１０ａが開口されている。なお、吸口体１０は、延長管５の管体５Ｂの他端（上流側）や、操作管４の他端（上流側）に対して接続することも可能である。
【００２７】
吸口体１０は、下部分を形成する下ケース１１、および下ケース１１の上部に被着された上ケース１２を備える吸口本体１０Ａと、吸口本体１０Ａの後方に取付けられ、内部に吸込通路Ｒ１，Ｒ２が形成された吸口継手１０Ｂ（自在継手）とを備える。
【００２８】
吸口継手１０Ｂは、第１の継手２０と、この第１の継手２０に対して図１中矢印Ｘ１方向（左右方向）に回動自在に接続された第２の継手３０とから構成されている。第１の継手２０は、図３，図４に示すように、内部に吸込通路Ｒ１が形成された基体２１と、基体２１の上面に被着されたカバー部材２２とを備える。
【００２９】
カバー部材２２の中央上面には、掃除機本体２及び吸口本体１０の運転状況を表示する表示部２３が配置されている。表示部２３は、表面が略円形状の導光管２４（導光板や導光体でもよい。総称して「導光部」という）を備え、その近傍（前方）には表示基板２５を設けている。導光管２４は、凹凸または溝またはシボを有し、光を反射したり拡散することができる。
【００３０】
表示基板２５には、図３（ｂ）に示すように掃除機本体２および吸口体１０の運転状態を段階的に照射するＬＥＤ２６，２７（発光素子）が設けられ、ＬＥＤ２６，２７の照射を吸口体１０の前方側から後方側へ向けて配置し、その後方側近傍に導光管２４を配設している。ＬＥＤ２６，２７は、発光色が異なる２つのＬＥＤを近接させて構成し、本実施例では、赤色のＬＥＤ２６ａ，２７ａと緑色のＬＥＤ２６ｂ，２７ｂの組み合わせとしている。ＬＥＤ２６，２７は、３色以上であってもよい。発光素子として、ＬＥＤ以外の電球や有機ＥＬなどを用いてもよい。ＬＥＤ２６ａ，２７ａおよびＬＥＤ２６ｂ，２７ｂは、同一表示基板２５上に形成される。つまり、ＬＥＤ２６ａ，２７ａおよびＬＥＤ２６ｂ，２７ｂは、表示基板２５に対して上下方向に重ねて配置されるのではなく、表示基板２５に対して前後方向あるいは左右方向に略平行に配置される。
【００３１】
なお、図４（ｂ）に示すように、ＬＥＤ２６，２７は、ＬＥＤ２６，２７の発光方向が表示基板２５の形成方向（前後方向）に対して平行になるように取付けている。つまり、ＬＥＤ２６，２７は、発光方向が導光管２４の端面２８に向かうように取付けている。ＬＥＤ２６，２７の発光方向は、図４（ｂ）中では、左側から右側へ向かう方向である。よって、ＬＥＤ２６，２７からの光は、端面２８から導光管２４内に入射する。図４（ｂ）に示すように、導光管２４の前部（吸口本体１０Ａ側の部分）の下面は段差を有し、その段差によって端面２８が形成される。そして、端面２８に対向して、ＬＥＤ２６，２７が配置される。端面２８に近い側に、ＬＥＤ２６ａ，２７ａが配置され、端面２８に遠い側に、ＬＥＤ２６ｂ，２７ｂが配置される。換言すると、側面から見て、端面２８とＬＥＤ２６ｂ，２７ｂとの間に、ＬＥＤ２６ａ，２７ａが配置される。ＬＥＤ２６ｂをＬＥＤ２６ａよりも大きくして、ＬＥＤ２６ｂをＬＥＤ２６ａよりも高くしてもよいし、同じ大きさでもＬＥＤ２６ｂをスペーサなどによって底上げすることによって、ＬＥＤ２６ｂがＬＥＤ２６ａの上方にずれてもよい。図５では、表面が略円形状の導光管２４の前部（特に前後方向の中間よりも前方側）に、表示基板２５が重なって配置されているため、導光管２４は、略馬蹄形状をしている。そして、略馬蹄形状の開口端のそれぞれの端面２８に対向して、ＬＥＤ２６，２７が配置される。後方のＬＥＤ２６ａを、前方のＬＥＤ２６ｂの内側に配置するよりも外側に配置したほうが、略馬蹄形状内でのＬＥＤ２６ａの発光範囲とＬＥＤ２６ｂの発光範囲の重複領域が大きくなり、均一な混合色を実現できる。
【００３２】
また、図５に示すようにＬＥＤ２６，２７は、発光方向に対して、少なくともＬＥＤの一部分が前後方向に重なるように（オーバーラップして）配置しており、本実施例ではＬＥＤ２６ａの後方にＬＥＤ２６ｂを配置している。つまり、ＬＥＤ２６ａとＬＥＤ２６ｂとは、導光管２４側から見て、重なるように（オーバーラップして）配置している。前方（導光管２４とは反対側）のＬＥＤ２６ｂは、導光管２４の端面２８の左右方向の中央付近に対向して配置される。後方（導光管２４側）のＬＥＤ２６ａは、左右方向外側に配置され、前方のＬＥＤ２６ｂは左右方向内側に配置される。よって、ＬＥＤ２６ａの左右方向の中心は、ＬＥＤ２６ｂの左右方向の中心よりも外側に位置する。ＬＥＤ２６ｂのＬＥＤ２６ａとの重なり度合いは、ＬＥＤ２６ｂの左右方向の半分より小さいのが好ましい。よって、ＬＥＤ２６ｂの左右方向の中心に対して、ＬＥＤ２６ａの左右方向の左側端面だけでなく右側端面も外側に位置することとなる。ＬＥＤ２６ｂの左右方向の幅がＬＥＤ２６ａの左右方向の幅よりも大きい場合は、ＬＥＤ２６ａの左右方向の中心よりも、ＬＥＤ２６ｂの左右方向の左側端面が外側に位置してもよい。ＬＥＤ２６ａとＬＥＤ２６ｂとは前後方向で隣接している（隙間が１mm以下）のが好ましいが、必ずしも接触している必要はない。同様にＬＥＤ２７側も構成している。尚、図５の前方側は、吸口本体１０Ａ側であり、図５の後方側は、第２の継手３０あるいは第２の吸込具６あるいは延長管５の側となる。
【００３３】
図３に示すように、基体２１の前端部には、回動軸部２１ａが形成されており、この回動軸部２１ａは、図５に示すように、吸口本体１０Ａ（図１参照）の後部内側に設けられたモータカバー（図示せず）の後部と上ケース１２（図１参照）との間に図２中矢印Ｙ１方向（上下方向）に回動自在に支持されている。
【００３４】
図４（ａ）に示すように、回動軸部２１ａの前端は開口しており、この開口を通じて、第１の継手２０の吸込通路Ｒ１は、吸口本体１０Ａ（図１参照）の吸込口１０ａに連通している。回動軸部２１ａの下部には、下部カバー２２ａが被着されており、下部カバー２２ａの後部と基体２１との間に、第２の継手３０の開口縁部３０ａが回動自在に挟持されている。カバー部材２２は、基体２１の上面に被着されており、カバー部材２２と基体２１との間に、第２の継手３０の開口縁部３０ａが回動自在に挟持されている。また、カバー部材２２は、基体２１の上面との間に空間部Ｋを形成しており、この空間部Ｋに、吸口本体１０Ａに内蔵されたモータ等に電力を供給するための図示しないハーネスが収容されるようになっている。
【００３５】
第２の継手３０は、内部に吸込通路Ｒ２が形成された管状の基体３１と、基体３１の上面に被着されたカバー部材２２とを備え、基体３１の後部（他端）には、第２の吸込具６（図１参照）や延長管５が接続可能な筒状接続部３３（パイプ部材）が形成されている。筒状接続部３３が第２の吸込具６の前端開口（他端開口）や延長管５の前端開口（他端開口）の内側に挿入され、係合されることによって、第２の吸込具６や延長管５に接続される。ここで、筒状接続部３３の軸心は、延長管５の軸心に略一致する。
【００３６】
次に本実施例の動作を説明する。掃除機使用者が操作管４に設置された手元操作部ＳＷを操作すると、操作されたＳＷに従った動作モードで掃除機本体２内の電動送風機が運転する。電動送風機によって発生した吸引力は、ホース３，延長管５を通って吸口体１０に到達する。それと同時に、ホース３および延長管５から設けられた電源線から供給された電源が、回路基板を介して電動機１０５を駆動する。
【００３７】
電動機１０５とプーリ，ベルトで連結している回転清掃体１０４が回転することにより、回転清掃体１０４の清掃部材である刷毛やブレードによって被掃除面からごみや塵埃を掻き出して吸い込んでいる。
【００３８】
本実施例では、被掃除面に応じて、吸口体１０の回転清掃体１０４の出力（負荷）と掃除機本体２の電動送風機の出力と連動して最適な運転状態に制御する構成としている。
【００３９】
例えば、被掃除面が毛足の長いじゅうたんのように吸口体１０の電動機１０５の電流値と変動幅が第１のしきい値より大きい場合を、「強」モード運転とし、掃除機本体２の電動送風機と吸口本体の電動機１０５が最大入力となるように制御し、吸口体１０のＬＥＤ２６ａ，２７ａが照射し、導光管２４が赤色を表示する。
【００４０】
また、被掃除面が床や畳，フローリングのように吸口体１０の電動機１０５の電流値と変動幅が第２のしきい値より小さい場合は、電動送風機と吸口体１０の電動機１０５を位相制御により入力を制御し、吸引力を弱めに設定して、「弱」モード運転とし、ＬＥＤ２６ｂ，２７ｂが照射し、導光管２４が緑色を表示する。
【００４１】
被掃除面が毛足の短いじゅうたんやカーペットのように吸口体１０の電動機１０５の電流値と変動幅が上記の中間つまり第１のしきい値と第２のしきい値との間の場合を、「中」モード運転とし、ＬＥＤ２６ａ，２７ａの赤色とＬＥＤ２６ｂ，２７ｂの緑色の二つが照射し、混合色（理想的には橙色）となって導光管２４が橙色を表示するように設定している。尚、ＬＥＤ２６ａ，２７ａおよびＬＥＤ２６ｂ，２７ｂをＯＮ／ＯＦＦの２階調で制御しているため、混合色が１色となるが、ＬＥＤ２６ａ，２７ａおよびＬＥＤ２６ｂ，２７ｂを中間階調を含めて制御することによって、混合色を２色以上にすることができる。
【００４２】
「中」モード運転時、一般的にＬＥＤを左右に並列に配置した場合には、ＬＥＤの照射角度で異なるが、隣接するＬＥＤ間で拡散して光が混合できない距離ができてしまい、見にくい部分ができてしまう。本実施例では、ＬＥＤ２６，２７は、発光方向に対して、少なくともＬＥＤの一部分が前後方向に重なるように、ＬＥＤ２６ａの後方にＬＥＤ２６ｂを配置しているので、ＬＥＤ２６ｂが照射し拡散している範囲内で前方のＬＥＤ２６ａが照射することになる。したがって、ＬＥＤ２６ａの赤色とＬＥＤ２６ｂの緑色が混合して橙色となって、導光管２４と近接していても均一な混合色が導光管２４に照射することができる。ＬＥＤ２６ｂの発光範囲内に、ＬＥＤ２６ａが存在し、ＬＥＤ２６ａが影となる。
【００４３】
また、他の実施例として、外形の大きさの異なるＬＥＤを用い、発光方向に対して、大きいＬＥＤの前方に小さいＬＥＤを配置することにより、後方の大きいＬＥＤの照射角度の拡散範囲内に前方の小さいＬＥＤが照射することになるので、同様に均一な混合色が導光管２４に照射することができる。例えば、ＬＥＤ２６ａ，２７ａの外形あるいは左右方向の幅よりも、ＬＥＤ２６ｂ，２７ｂの外形あるいは左右方向の幅を大きくする。
【００４４】
さらに、輝度の異なるＬＥＤを用い、発光方向に対して、輝度の高いＬＥＤの前方に輝度の低いＬＥＤを配置することにより、輝度の高いＬＥＤの照射角度の拡散範囲内に前方の輝度の低いＬＥＤが照射することになるので、同様に均一な混合色が導光管２４に照射することができる。例えば、ＬＥＤ２６ａ，２７ａの発光輝度よりも、ＬＥＤ２６ｂ，２７ｂの発光輝度を高くする。色によって発光輝度が異なることもあるため、ＬＥＤ２６ａ，２７ａの発光輝度よりも、ＬＥＤ２６ｂ，２７ｂの発光輝度が高くなる色を採用してもよい。尚、一般的には、ＬＥＤの外形を大きくすると、ＬＥＤの発光輝度が高くなる。
【００４５】
上述のように、ＬＥＤの発光方向を表示基板２５に対して平行になるようにＬＥＤを取付けているため、図６に示すように、机やベッドの下を掃除する際には、延長管を床面に略水平状態にする場合が多く、吸口体１０の床面からの高さｈが低い方が望ましい。本実施例では、ＬＥＤの発光方向を表示基板２５に対して、平行に取付けているため、表示基板２５の厚み方向を薄くすることができるので、吸口体１０の床面からの高さｈが高くなることがない。これにより、表示部２３を設けても吸口体１０の小形化が図れることになる。また、図６に示すように、表示部２３の表面は、前部よりも後部のほうが筒状接続部３３の軸心（図６中の一点破線）に対する距離が短くなっている。つまり、表示部２３の表面は、前部から後部へ向かって、筒状接続部３３の軸心に近くなるように、湾曲または傾斜している。これによって、使用者が操作部４を持って清掃する際（電気掃除機１を使用する際）に、使用者からの表示部２３の視認性が向上する。
【００４６】
表示部２３は、吸込力つまり電動送風機のパワーの程度を表示するパワーモニターとして機能してもよいし、被清掃面の種別（検出結果）を表示する床面モニターとして機能してもよいし、吸い込んだ塵埃の有無や量を表示するダストモニターとして機能してもよい。
【産業上の利用可能性】
【００４７】
床移動型の掃除機だけでなく、スティック式の掃除機にも適用できる。
【符号の説明】
【００４８】
１  電気掃除機
２  掃除機本体
３  ホース
４  操作管
４ｂ  ボタン
５  延長管（管）
５Ａ，５Ｂ  管体
６  第２の吸込具
６ａ  係合部材
１０  吸口体
１０Ａ  吸口本体
１０Ｂ  吸口継手
１０ａ  吸込口
２０  第１の継手
２１  基体
２２  カバー部材
２３  表示部
２４  導光管
２５  表示基板
２６，２７  ＬＥＤ
２６ａ，２７ａ  赤色ＬＥＤ
２６ｂ，２７ｂ  緑色ＬＥＤ
２８  端面
３０  第２の継手
Ｒ１，Ｒ２  吸込通路
【図１】
2011036296.tif 000003
【図２】
2011036296.tif 000004
【図３】
2011036296.tif 000005
【図４】
2011036296.tif 000006
【図５】
2011036296.tif 000007
【図６】
2011036296.tif 000008